(57)【要約】【課題】設置場所によらずに安定して取り付けることができる折戸を提供する。【解決手段】アウトセット折戸Ｄは、一対の縦方向構造材４３と、一対の縦方向構造材４３の上部間に配置された横方向構造材３９とで囲まれた開口部に、縦方向構造材４３のそれぞれに固定された縦枠１３と、横方向構造材３９の下部に固定された上枠２０とを含む開口枠１８を覆うように取り付けられる。アウトセット折戸Ｄは、折戸扉１Ａと、横方向構造材２０に固着されたＬ型金具３１と、レール２と、上部ピボット４と、下部ピボット５とを備える。【選択図】図２
2016079657.tif 000002
【特許請求の範囲】
【請求項１】
一対の縦方向構造材と、前記一対の縦方向構造材の上部間に配置された横方向構造材とで囲まれた開口部に、前記一対の縦方向構造材のそれぞれに固定された縦枠と、前記横方向構造材の下部に固定された上枠とを含む開口枠の全体を前側から覆うように取り付けられたアウトセット折戸であって、
前記開口枠を覆うように配置され、展開動作及び折り畳み動作により前記開口部を開閉する折戸扉と、
前記開口枠の前上側に突出するように固定具により前記横方向構造材に固着された構造材固定金具と、
前記開口枠の前方で前記構造材固定金具に固定され、横方向に延びるレールと、
前記折戸扉の吊元側端部を上下方向の軸心回りに揺動可能に支持する上部及び下部ピボットと、
前記折戸扉の戸先側上端に設けられ、前記レール内を摺動する摺動具とを備えているアウトセット折戸。
【請求項２】
請求項１に記載のアウトセット折戸において、
前記横方向構造材は垂れ壁内に設けられており、
前記構造材固定金具は、前記垂れ壁の面材を貫通する固定具により前記横方向構造材の前面に固定される垂直部と、該垂直部の下端から前方に延び、前記レールを固定する水平部とからなるＬ型金具であるアウトセット折戸。
【請求項３】
請求項１に記載のアウトセット折戸において、
前記構造材固定金具は、前記上枠を貫通する固定具により前記横方向構造材の下面に前記上枠よりも前方に突出するように固着されたＩ型金具と、前記Ｉ型金具の前端に固定されたＬ型金具とを含むアウトセット折戸。
【請求項４】
請求項３に記載のアウトセット折戸において、
前記上枠の下面には下方に開放された既存の摺動溝が形成されており、前記摺動溝は埋木により埋められているアウトセット折戸。
【請求項５】
請求項３又は４に記載のアウトセット折戸において、
前記Ｌ型金具は前記上枠の前面及び前記Ｉ型金具の前端にそれぞれ螺着されているアウトセット折戸。
【請求項６】
請求項１〜５のうちいずれか１つに記載のアウトセット折戸において、
前記開口部は少なくとも上部開口と下部開口との２つに分割されており、
前記一対の縦枠及び前記上枠の各前端面は略面一であるアウトセット折戸。
【請求項７】
請求項１〜６のうちいずれか１つに記載のアウトセット折戸において、
前記折戸扉は、同一の大きさを有する複数のドアパネルで構成されており、前記複数のドアパネルは切断によって上下方向及び幅方向の寸法調整が可能であるアウトセット折戸。
【発明の詳細な説明】
【技術分野】
【０００１】
本明細書に開示された技術は、既存枠の外側にアウトセット方式で取り付けられる折戸に関する。
【背景技術】
【０００２】
既存の住宅において、例えば収納部の引き戸をリフォームして室内の雰囲気やデザイン性を向上させることがある。このような場合、既存の開口枠を残したまま折戸を設けることができる。
【０００３】
特許文献１及び特許文献２には、既存の枠に設けられた折戸が記載されている。特許文献１に記載の折戸は上枠に固定され、特許文献２に記載の折戸は縦枠に固定される。
【０００４】
特許文献３には、開口の高さに合わせて縦寸法と横幅を調整できる折戸が記載されている。
【先行技術文献】
【特許文献】
【０００５】
【特許文献１】特開平０７−１１３４４９号公報
【特許文献２】特開２００３−２７８５２号公報
【特許文献３】特開２００４−１３２０７９号公報
【発明の概要】
【発明が解決しようとする課題】
【０００６】
しかしながら、折戸が既存の上枠に固定される場合、取り付け強度が上枠の材質に左右されてしまう。またこの場合、既存の上枠が歪んでいると、取り付け精度に影響が出る可能性もある。
【０００７】
また、特許文献１、２に記載された折戸では、主に上吊り方式を採用しているので、既存の開口枠に設置する場合、開閉時の耐久性や強度を十分に確保するのが難しい。
【０００８】
特許文献３に記載の折戸では、開口サイズに合わせて上レールを切断してから壁に取り付ける場合、アウトセット式の上吊りレールだとレール断面が大きくて切断しにくかったり、取り付け時にレールにリード穴加工を施す必要があったりする。
【０００９】
本発明の目的は、施工が簡単で、安定して取り付けることができる折戸を提供することにある。
【課題を解決するための手段】
【００１０】
本開示の実施形態に係るアウトセット折戸は、一対の縦方向構造材と、前記一対の縦方向構造材の上部間に配置された横方向構造材とで囲まれた開口部に、前記一対の縦方向構造材のそれぞれに固定された縦枠と、前記横方向構造材の下部に固定された上枠とを含む開口枠の全体を前側から覆うように取り付けられたアウトセット折戸であって、前記開口枠を覆うように配置され、展開動作及び折り畳み動作により前記開口部を開閉する折戸扉と、前記開口枠の前側に突出するように固定具により前記横方向構造材に該構造材に至る長さのビスにより固着された構造材固定金具と、前記開口枠の前方で前記構造材固定金具に固定され、横方向に延びるレールと、前記折戸扉の吊元側の上下端部にそれぞれ設けられ、折戸扉の吊元側端部を上下方向の軸心回りに揺動可能に支持する上部及び下部ピボットと、前記折戸扉の戸先側上端に設けられ、前記レール内を摺動する摺動具とを備えている。
【００１１】
なお、上述の「一対の縦方向構造材」を構成する二本の縦方向構造材の形状等は、互いに同じであってもよいし、異なっていてもよい。
【発明の効果】
【００１２】
本開示に係るアウトセット折戸は、前記折戸のレールが、既存の開口枠や壁ではなく、既存の開口枠や壁を通して、壁構造内部の構造材に強固に固着されるため、安定的な固定強度を得ることが可能である。
【図面の簡単な説明】
【００１３】
【図１】図１は、本開示の一実施形態に係るアウトセット折戸を前側から見て示す正面図である。
【図２】図２は、第１の実施形態に係るアウトセット折戸における、ピボットが設けられた吊元側部分の拡大断面図である。
【図３】図３は、第２の実施形態のアウトセット折戸における吊元側部分の図２相当図である。
【図４】図４（ａ）は、アウトセット折戸に用いられる構造材固定金具の例を示す斜視図であり、（ｂ）は、上側のピボットの構成及び構造材固定金具の構成を示す断面図であり、（ｃ）は、アウトセット折戸に用いられる構造材固定金具の他の例を示す斜視図である。
【図５】図５は、アウトセット折戸に用いられるレールを示す斜視図である。
【発明を実施するための形態】
【００１４】
（第１の実施形態）
図１は、本開示の第１の実施形態に係るアウトセット折戸Ｄを示す図である。本実施形態のアウトセット折戸Ｄは、例えば室内の収納スペースＲ（いわゆる押入れ）の開口部１７及び天袋の開口部１９にリフォームのために組み付けられる。言い換えれば、開口部全体は少なくとも下部開口である開口部１７と、上部開口である開口部１９とに分割されている場合においても、これら２箇所に分割された上下の開口部を同時に覆うことが可能である。
【００１５】
上下の開口部１７及び開口部１９は柱等の左右一対の縦方向構造材４３と、一対の縦方向構造材４３の上部間に配置されて連結固定され、左右方向に水平に延びる横方向構造材３９とで囲まれており、アウトセット折戸Ｄは、縦方向構造材４３の内側に取り付け固定された一対の縦枠１３と、床面Ｆに固定された下枠２２（敷居）と、横方向構造材３９の下部に取り付け固定され、かつ一対の縦枠１３の上部間に配置された上枠２０（鴨居）とを有する開口枠１８の全体を前側から覆うように、縦枠１３、下枠２２及び上枠２０の前端面よりも手前側（前方）に設けられている。ここで、一対の縦枠１３、下枠２２及び上枠２０の各前端面は略面一となっている。
【００１６】
図２は、本実施形態に係るアウトセット折戸における、ピボットが設けられた吊元側部分の断面図である。図４（ａ）は、アウトセット折戸に用いられる構造材固定金具の例を示す斜視図であり、（ｂ）は、上側のピボットの構成及び構造材固定金具の構成を示す断面図であり、（ｃ）は、アウトセット折戸に用いられる構造材固定金具の他の例を示す斜視図である。図５は、アウトセット折戸に用いられるレールを示す斜視図である。
【００１７】
図２に示すように、横方向構造材３９は、天井（図示せず）から下方に延びる垂れ壁３６内に設けられており、その横方向構造材３９の前後面にそれぞれ面材３６ａを取り付けることで、垂れ壁３６が形成されている。
【００１８】
図１、図２、図４（ａ）、（ｂ）及び図５に示すように、本実施形態のアウトセット折戸Ｄは、開口部１７及び開口部１９を覆うように配置され、展開動作及び折り畳み動作により前記開口部を開閉する左右一対の折戸扉１Ａと、開口枠１８の前側に突出するように、横方向構造材３９に届く長さのビス（固定具）４０により横方向構造材３９の前面に固着された構造材固定金具としての複数のＬ型金具３１と、開口枠１８の前方で前記Ｌ型金具３１（構造材固定金具）に固定され、横方向（左右方向）に水平に延びるレール２と、レール２の端部において折戸扉１Ａの吊元側上端部を支持する上部ピボット４と、折戸扉１Ａの吊元側下端部を床Ｆ上に支持する下部ピボット５と、折戸扉１Ａの戸先側上端に設けられ、レール２内を摺動するランナー（摺動具）３とを備えている。上部ピボット４及び下部ピボット５は上下方向に対応しており、これら上部及び下部ピボット４、５により折戸扉１Ａの吊元側端部を上下方向の軸心回りに揺動可能に支持している。
【００１９】
図１では、２つの折戸扉１Ａが両開きになるよう設けられている。各折戸扉１Ａは、複数枚（ここでは２枚）のドアパネル１をヒンジ１１によって手前側に折り畳み可能に連結して構成される。折戸扉１Ａには、開閉を行うための把手１ａが取り付けられている。
【００２０】
折戸扉１Ａの戸先側下端部には振れ止め具６が取り付けられていてもよい。振れ止め具６は折戸扉１Ａが閉じた状態を保持しやすくする部材であり、例えば振れ止め具６同士が互いに係合するようになっていてもよい。
【００２１】
図２及び図４（ａ）、（ｂ）に示すように、本実施形態のアウトセット折戸Ｄでは、構造材固定金具としての各Ｌ型金具３１は、垂直部３１ａと水平部３１ｂとからなる。Ｌ型金具３１の垂直部３１ａは横方向構造材３９の前面に垂れ壁３６の前側面材３６ａを貫通する態様で、構造材に届く長さのビス４０等により固定されている。水平部３１ｂは、垂直部３１ａの下端から前方に延び、前端部にレール２が固定される。
【００２２】
Ｌ型金具３１の幅は、本実施例においては例えば３０〜５０ｍｍ程度であるが、該Ｌ型金具３１は、必要な長さで幅方向に延長されていてもよく、横方向構造材３９に複数箇所で固定されるようになっていてもよい。
【００２３】
Ｌ型金具３１の幅が３０〜５０ｍｍ程度の場合は、開口部の左右幅で１間（約１．８ｍ）の幅あたり４〜５個程度設けられており、それぞれの箇所でレール２を横方向構造材３９に固定している。このＬ型金具３１を用いることで、レール２の取り付け位置の精度を向上と、折戸扉１Ａの取り付け強度の向上が図られている。
【００２４】
上枠２０には下方に開放された既存の摺動溝２０ａが、下枠２２には上方に開放された同様の摺動溝２２ａが、それぞれ設けられている。
【００２５】
横方向に延びるレール２は、横方向構造材３９（上枠２０）の前方でボルト２９及び板ナット２７等を用いて構造材固定金具であるＬ型金具３１の水平部３１ｂ下面に固定される。図４（ｂ）に示すように、板ナット２７とＬ型金具３１との間にスペーサー４２を挟むことによってレール２を取り付ける位置の高さを適宜調節し、レール２をまっすぐ且つ水平に取り付けることが可能となる。
【００２６】
図５に示すように、レール２は略Ｈ字状の縦断面形状を有しており、レール２の上部には内部の幅が開口部よりも大きい上部溝２８が、下部には下部溝２６がそれぞれ形成されている。上部溝２８には板ナット２７が収納され、この板ナット２７にＬ型金具３１の水平部３１ｂ及び上部溝２８の開口部を挿通したボルト２９の先端部を螺合して、板ナット２７とＬ型金具３１の水平部３１ｂとの間に上部溝２８の開口部周囲を挟み込むことにより、Ｌ型金具３１にレール２を固定している。具体的には、ボルト２９は、予め、その先端部に板ナット２７が螺合された状態でＬ型金具３１の水平部３１ｂに貫通されて支持されており、その状態で板ナット２７をレール２の長さ方向端部から上部溝２８に挿入し、その挿入状態でボルト２９を締めることで、板ナット２７を上側に移動させてレール２をＬ型金具３１の水平部３１ｂに固定するようになっている。下部溝２６には上部ピボット４のピボット軸２３が移動不能に、またランナー３が移動（摺動）可能にそれぞれ収納される。
【００２７】
レール２がこのような形状になっていることにより、Ｌ型金具３１とレール２とを固定する際にレール２等に新たに穴を空ける必要がない。そのため、取り付けに必要な工具が少なくて済み、取り付け作業が容易となる。また、ブラケット（Ｌ型金具３１）とレール２とを分けたことにより、レール２の断面を小さくすることができ、現場でカットしやすくなっている。
【００２８】
上部ピボット４は、折戸扉１Ａの吊元側上端部に上方に向かって突設されたピボット軸２３を有し、このピボット軸２３の上端部には嵌合部２３ａが相対回転可能に連結され、このピボット軸２３の嵌合部２３ａを、レール２の下部溝２６に移動（摺動）不能に嵌合することで、折戸扉１Ａの吊元側上端部がレール２に揺動可能に支持されている。下部ピボット５は、折戸扉１Ａの吊元側下端部に下方に向かって突設されたピボット軸３５を有し、床Ｆ上にはピボット軸３５を受ける軸受け部３７が固定されており、この構造により折戸扉１Ａの吊元側下端部が床Ｆ上に揺動可能に支持されている。この構成により、本実施形態のアウトセット折戸Ｄは折戸扉１Ａの荷重を主に床Ｆで受ける下荷重式となっているので、取り付け部の下地（横方向構造材３９）の強度に大きく依存せずに設置することが可能となっている。また、下荷重式であることで、本実施形態のアウトセット折戸Ｄでは、レール２、ピボット軸２３、３５及びランナー等の部材を一般的なインセットタイプの折戸と共用することが可能である。このため、部材の交換や手配が容易であり、設置コストも低く抑えられている。
【００２９】
また、Ｌ型金具３１にはＬ型のカバー１０を被せることによって外観を向上させてもよい。
【００３０】
ランナー３は、筒状のソケットと、下部がソケット内に収納されたシャフトと、ソケット内に収納され、シャフトを上下方向に付勢するピボット用ばねと、シャフトの上端に設けられたピボット用ローラーとを有している。ランナー３は、ソケット側が下になるよう折戸扉１Ａの戸先側上端に設置される。ピボット用ローラーがレール２の下部溝２６に摺動可能に収納されていることで、ランナー３は折戸扉１Ａのスムーズな開閉に寄与する。
【００３１】
本実施形態のアウトセット折戸Ｄを現場で既存の開口枠１８に対し施工する際には、まず垂れ壁３６にＬ型金具３１の垂直部３１ａを当接させることで、横方向構造材３９に達する長さのビス４０により横方向構造材３９にＬ型金具３１を取り付ける。その後、レール２をＬ型金具３１の水平部３１ｂにビス固定する。また、開口部１７の左右の下側コーナー部に軸受け部３７を設置する。一方、折戸扉１Ａの吊元側ドアパネル１の吊元側端部の上下端部にはそれぞれピボット４、５を取り付け、戸先側ドアパネル１の戸先側端部の上端にはランナー３を取り付けておく。
【００３２】
軸受け部３７を使用する場合、戸先側の扉下はフリーになっているので、扉が閉まった場合のガタツキや左右の扉の位置ズレを防止する為、扉に裏側に召し合わせ（図示せず）を設置してもよい。
【００３３】
なお、床Ｆのレール２に対応する位置上に直接下レールを設けて、ピボット軸３５を該下レールで受ける構成にしてもよい。例えば２枚のドアパネル１で構成される折戸扉１Ａが３枚用いられる場合には、この下レールを設けた上で、中央の折戸扉１Ａの幅方向両端の上下にそれぞれ上レール及び下レールに摺動可能に当接するランナーを設けることで、中央の折戸扉１Ａを安定に設置することが可能となる。
【００３４】
次いで、ピボット軸２３の嵌合部２３ａをレール２の下部溝２６に嵌め込んで固定するとともに、ピボット軸３５を軸受け部３５に嵌め込む。そして、折戸扉１Ａの吊り込みを行い、その戸先側端部上端のランナー３をレール２の下部溝２６内に嵌入する。最後に、Ｌ型金具３１上にカバー１０を被せることで、アウトセット折戸Ｄの施工が完了する。
【００３５】
なお、折戸扉１Ａの各ドアパネル１の戸尻端部に折戸扉１Ａの閉じ位置で縦枠１３との間の隙間を覆うエンドカバー（図示せず）を取り付けて美観を向上させてもよい。また、折戸扉１Ａと縦枠１３の間の隙間に、モヘア部材や弾性樹脂からなるパッキン材を取り付けることによりこの隙間を見えなくしてもよい。その他に、ピボット軸２３、３５の取り付け位置をできるだけドアパネル１の外側にして開閉時のピボット軸２３、３５の回転を小さくし、折戸扉１Ａと縦枠１３の間の隙間を小さくしてもよい。
【００３６】
以上のように、本実施形態のアウトセット折戸Ｄは、垂れ壁３６が存在する場合には、この垂れ壁３６内の横方向構造材３９にＬ型金具３１を介してレール２を固定し、このレール２に折戸扉１Ａを支持することで安定に取り付けることが可能になっている。また、アウトセット折戸Ｄは既存の戸枠の縦枠１３、下枠２２及び上枠２０よりも前方に配置されるので、その既存の戸枠の形状や劣化状態等に関わらず安定して設置することが可能となっている。
【００３７】
折戸扉１Ａを構成するドアパネル１としては、カットフリータイプのパネルや、あらかじめサイズを特注したもの等を用いることができる。
【００３８】
カットフリータイプのドアパネルの場合、ドアパネル１は、図示しないが、互いに平行な２本の縦框材と、両縦框材に挟まれた鏡板とを備えていてもよい。鏡板には例えば縦方向に切断可能な切断部が形成されており、必要に応じて切断することで幅を調節することができる。また、縦框材及び鏡板の下方には例えば横方向に延びる切断部が形成されており、この切断部に沿って切断することで縦框材及び鏡板の高さを調節することが可能となっている。なお、ドアパネル１として上記以外のカットフリータイプの折戸扉を用いてもよい。
【００３９】
また、折戸扉１Ａの両側端部の上下回転軸（ピボット軸２３、３５）に関しては、開口部を形成する縦方向構造材４３に固定されていてもよい。この場合、例えばピボット金具を開口枠の外側の壁に当接させ、縦方向構造材４３に届く長さのビスにより、ピボット金具を縦方向構造材４３に固定すればよい。
【００４０】
（第２の実施形態）
図３は、第２の実施形態に係るアウトセット折戸Ｄにおける、ピボットが設けられた部分の前後方向での断面図である。
【００４１】
家屋によっては垂れ壁３６がほとんど無い場合があるが、本実施形態のアウトセット折戸Ｄはこのような場合であっても構造用固定金具としてＬ型金具３１にアタッチメント金具を一部追加するだけで設置することができる。本実施形態のアウトセット折戸Ｄの外観は図１に示す第１の実施形態に係るものとほぼ同様であるが、構造用固定金具が横方向構造材３９の下面に固着されている点が第１の実施形態と異なる。なお、第１の実施形態と同様に、上枠２０は、横方向構造材３９の下面に固定されている。
【００４２】
本実施形態のアウトセット折戸Ｄで用いられる構造用固定金具４６は、上枠２０を貫通し、横方向構造材３９に届く長さのビス４７（固定具）により横方向構造材３９の下面に上枠２０よりも前方（すなわち手前側）に突出するように固着されたＩ型金具４５（アタッチメント金具）と、このＩ型金具４５の前端部にねじ６０の螺着等により一体的に固定されたＬ型金具３１とを含んでいる。Ｌ型金具３１は、第１の実施形態と同様に垂直部３１ａ及び水平部３１ｂを有するものであり、ねじ６０によりＩ型金具４５に螺着されるだけでなく上枠２０の前端面にビス４０等により螺着されていてもよい。Ｉ型金具４５及びＬ型金具３１の幅は例えば３０〜５０ｍｍ程度であるが、該Ｌ型金具３１は、必要な長さで幅方向に延長されていてもよく、横方向構造材３９に複数箇所で固定されるようになっていてもよい。Ｉ型金具４５及びＬ型金具３１の幅が３０〜５０ｍｍ程度の場合、Ｉ型金具４５及びＬ型金具３１は、１間（約１．８ｍ）の幅あたり４〜５セット程度設けられており、それぞれの箇所でレール２を固定している。
【００４３】
上枠２０には下方に開放された摺動溝２０ａが、下枠２２には上方に開放された摺動溝２２ａが、それぞれ設けられている。この摺動溝２０ａ、２２ａは使用しないので、美観を向上させるために埋木５０により埋められていてもよい。
【００４４】
埋木５０により、外観意匠の向上が図られるとともに、Ｉ型金具４５を取り付けるにあたり、横方向構造材３９に達する長さのビス４７を用いてＩ型金具４５を固定するときに、Ｉ型金具４５の変形を防ぐことができる。Ｉ型金具４５の変形を防ぐことにより、Ｌ型金具３１とＩ型金具４５との接合部の破損を防いだり、当該接合部に負荷が集中するのを防ぐことができる。また、Ｌ型金具３１の高さ位置がずれるのを防ぐこともできる。
【００４５】
なお、図３中、４１は上枠２０と天井Ｃとの間に設けられた廻り縁４１である。
【００４６】
横方向に延びるレール２は、横方向構造材３９の前方でボルト２９及び板ナット２７等を用いて構造材固定金具４６の一半部であるＬ型金具３１の水平部３１ｂ下面に固定される。板ナット２７とＬ型金具３１との間にスペーサー４２を挟むことによってレール２を取り付ける位置の高さを適宜調節し、レール２のをまっすぐ且つ水平に取り付けることが可能となる。本実施形態のアウトセット折戸Ｄにおいて、この他の構成は第１の実施形態に係るアウトセット折戸Ｄと同じである。
【００４７】
以上のように、本実施形態のアウトセット折戸Ｄは、構造材固定金具４６を用いてレール２を横方向構造材３９に対し上枠２０の前方に位置するように固定しているので、開口部１７、１９の上方に垂れ壁３６がほとんど存在しない場合であっても安定に取り付けることが可能になっている。本実施形態のアウトセット折戸Ｄにおいても、下荷重式であることによって取り付け部分の強度によらず十分な取り付け強度を得ることができる。
【００４８】
また、Ｌ型金具３１及びＩ型金具４５等の構造材固定金具４６はあらかじめ横方向構造材３９に達する長さのビスにより横方向構造材３９に固定しておくことで、現場での作業性を向上させることができる。
【００４９】
以上で説明した第１及び第２の実施形態に係るアウトセット折戸Ｄは本発明の実施形態の一例であって、アウトセット折戸Ｄの構成や構成部材のサイズ、材質、形状、固定方法等は、本発明を逸脱しない範囲で適宜変更可能である。
【産業上の利用可能性】
【００５０】
以上説明したように、本開示の一例に係るアウトセット折戸は、室内の開口部を覆う扉として用いられる。
【符号の説明】
【００５１】
Ｄ  アウトセット折戸
Ｆ  床面
Ｃ  天井
１      ドアパネル
１ａ  把手
１Ａ    折戸扉
２      レール
３      ランナー
４      上部ピボット
５      下部ピボット
１０    カバー
１１    ヒンジ
１３    縦枠
１７、１９    開口部
１８  開口枠
２０    上枠
２０ａ  摺動溝
２２    下枠
２２ａ  摺動溝
２３、２５    ピボット軸
２３ａ  嵌合部
２５、３７    軸受け部
２６    下部溝
２８    上部溝
２９  ボルト
３１    Ｌ型金具（構造材固定金具）
３１ａ  垂直部
３１ｂ  水平部
３６    垂れ壁
３６ａ  面材
３９    横方向構造材
４０、４７    ビス（固定具）
４１    廻り縁
４２    スペーサー
４３    縦方向構造材
４５    Ｉ型金具（構造材固定金具）
４６    構造材固定金具
【図１】
2016079657.tif 000003
【図２】
2016079657.tif 000004
【図３】
2016079657.tif 000005
【図４】
2016079657.tif 000006
【図５】
2016079657.tif 000007